(57)【要約】【課題】  転倒しにくい、自立可能な、チューブ容器の台紙付きシュリンク包装体を提供すること。【解決手段】  台紙付きシュリンク包装体１０であって、台紙１１の表面に対する熱収縮フィルム２０の接着範囲Ｋの下端部が、該熱収縮フィルム２０の筒内に挿入されたチューブ容器１の肩部３から離れた胴部２の側に設定されてなるもの。【選択図】  図２
2013124109.tif 000002
【特許請求の範囲】
【請求項１】
台紙の表面の上下方向に筒状の熱収縮フィルムの筒中心軸を沿わせて接着し、この熱収縮フィルムの筒内にチューブ容器が挿入され、このチューブ容器の胴部の上端部に設けた肩部に連続する口頚部に取着されているキャップを台紙の下端側に位置付け、この熱収縮フィルムを加熱し、収縮させて、チューブ容器を台紙上に保持するチューブ容器の台紙付きシュリンク包装体であって、
台紙の表面に対する熱収縮フィルムの接着範囲の下端部が、該熱収縮フィルムの筒内に挿入されたチューブ容器の肩部から離れた胴部の側に設定されてなるチューブ容器の台紙付きシュリンク包装体。
【請求項２】
前記台紙の表面に対する熱収縮フィルムの接着範囲が、該熱収縮フィルムの筒内に挿入されたチューブ容器の胴部の中間部に相対する範囲に設定されてなる請求項１に記載のチューブ容器の台紙付きシュリンク包装体。
【請求項３】
前記台紙の表面に対する熱収縮フィルムの接着範囲の下端部が、該熱収縮フィルムの筒内に挿入されたチューブ容器の胴部の全長Ｌの1／5Ｌ〜3／5Ｌだけ肩部から離れた位置に設定されてなる請求項１又は２に記載のチューブ容器の台紙付きシュリンク包装体。
【請求項４】
前記台紙の表面に対する熱収縮フィルムの接着範囲の上端部が、該熱収縮フィルムの筒内に挿入されたチューブ容器の胴部の全長Ｌの7／10Ｌ〜9／10Ｌだけ肩部から離れた位置に設定されてなる請求項３に記載のチューブ容器の台紙付きシュリンク包装体。
【請求項５】
前記チューブ容器の胴部の長手方向に沿う形状が凸状湾曲面をなす請求項１〜４のいずれかに記載のチューブ容器の台紙付きシュリンク包装体。
【発明の詳細な説明】
【技術分野】
【０００１】
本発明はチューブ容器の台紙付きシュリンク包装体に関する。
【背景技術】
【０００２】
商品の台紙付きシュリンク包装体として、特許文献１に記載の如く、台紙の一部に切欠き形成した舌状片と、台紙の下端部に形成した折り返し片とに筒状の熱収縮フィルムの上下両端部を挟み付け、この熱収縮フィルムに商品を挿入した後、この熱収縮フィルムを加熱し、収縮させて該商品を台紙上に保持するものがある。
【０００３】
一方、チューブ容器として、特許文献２に記載の如く、チューブ状の胴部と、胴部の上端部に設けた円錐台形状の肩部と、肩部に連続する口頚部と、口頚部に着脱自在に取着されるキャップとからなり、胴部の下端部から内容物を充填し、続いて該下端部に扁平状の封緘部を形成するものがある。
【先行技術文献】
【特許文献】
【０００４】
【特許文献１】特開平10-316164
【特許文献２】特許2709612
【発明の概要】
【発明が解決しようとする課題】
【０００５】
特許文献１に記載の台紙付きシュリンク包装体は、店頭で吊り下げ、又は陳列台の載置面上でのスタンディング（自立）の両方の陳列態様で展示でき、台紙の表面に商品の説明、使用方法等を表示するスペースも自由に設定できる。外観も良く、ゴミになっても嵩張らない。
【０００６】
ところが、特許文献２に記載のチューブ容器の包装体として、特許文献１に記載の台紙付きシュリンク包装体を採用しようとするとき、チューブ容器のキャップを台紙の下端側に位置付けても、商品のキャップを含む全体が熱収縮フィルムにより台紙に対して引き寄せられて保持される。これにより、台紙の下端部とチューブ容器のキャップとの間隔が狭まり、包装体の陳列台に対する自立性が不安定になる。台紙の下端部とキャップの先端面とが、製造過程で数mmずれてしまうこともあり、係る場合には包装体の自立性が一層不安定になる。
【０００７】
本発明の課題は、転倒しにくい、自立可能な、チューブ容器の台紙付きシュリンク包装体を提供することにある。
【課題を解決するための手段】
【０００８】
請求項１に係る発明は、台紙の表面の上下方向に筒状の熱収縮フィルムの筒中心軸を沿わせて接着し、この熱収縮フィルムの筒内にチューブ容器が挿入され、このチューブ容器の胴部の上端部に設けた肩部に連続する口頚部に取着されているキャップを台紙の下端側に位置付け、この熱収縮フィルムを加熱し、収縮させて、チューブ容器を台紙上に保持するチューブ容器の台紙付きシュリンク包装体であって、台紙の表面に対する熱収縮フィルムの接着範囲の下端部が、該熱収縮フィルムの筒内に挿入されたチューブ容器の肩部から離れた胴部の側に設定されてなるようにしたものである。
【発明の効果】
【０００９】
本発明によれば、転倒しにくい、自立可能な、チューブ容器の台紙付きシュリンク包装体を構成できる。
【図面の簡単な説明】
【００１０】
【図１】図１は本発明の一実施例を示す模式正面図である。
【図２】図２は本発明の一実施例を示す模式側面図である。
【図３】図３は陳列台の載置面の上に置かれた包装体を示す側面図である。
【図４】図４は本発明の比較例を示す模式側面図である。
【図５】図５は陳列台の載置面の上に置かれた比較例の包装体を示す側面図である。
【発明を実施するための形態】
【００１１】
図１に示した台紙付きシュリンク包装体１０は、本発明の一実施例であり、下記(1)〜(3)の手順で製造される。
【００１２】
(1)台紙１１の表面の上下方向にホットメルト等の糊１２（接着剤）を介して筒状の熱収縮フィルム２０の筒中心軸を沿わせて接着する（図１（Ａ））。
【００１３】
台紙１１は、板紙の他、ポリプロピレン（ＰＰ）、塩化ビニル（ＰＶＣ）等の合成樹脂製シートを用いても良い。台紙１１は、表面に商品の説明、使用方法等が表示された印刷面１１Ａを備える。尚、台紙１１は、糊１２が塗布される範囲を非印刷面１１Ｂとし、糊１２の付着性を向上している。また、台紙１１は、上端部に吊り下げ用孔１１Ｃを穿設している。台紙１１の表面に対する熱収縮フィルム２０の接着範囲Ｋ（糊１２の塗布範囲）については後述する。
【００１４】
熱収縮フィルム２０は、筒周方向に熱収縮性をもつ一軸延伸フィルムであり、例えば塩化ビニル（ＰＶＣ）、ポリエチレンテレフタレート（ＰＥＴ）等を採用できる。熱収縮フィルム２０は、筒中心軸に沿う上下両端を開口している。熱収縮フィルム２０は、本実施例では透明フィルムからなる。
【００１５】
(2)台紙１１に接着された熱収縮フィルム２０の筒内にチューブ容器１が挿入される（図１（Ｂ））。
【００１６】
チューブ容器１は、チューブ状の胴部２と、胴部２の上端部に設けた円錐台形状の肩部３と、肩部３に連続する口頚部４と、口頚部４に着脱自在に取着されるキャップ５とからなり、胴部２の下端部から内容物を充填し、続いて該下端部に扁平状の封緘部２Ａを形成したものである。
【００１７】
チューブ容器１は、熱収縮フィルム２０の筒内に挿入されたとき、キャップ５を台紙１１の下端側に位置付けられる。
【００１８】
尚、チューブ容器１は、肩部３に連続する胴部２の上端部の横断面を円形（又は楕円形）とし、封緘部２Ａが形成される胴部２の下端部の横断面を扁平状とし、それらの上端部〜下端部の間を徐々に扁平化する。そして、台紙１１の表面に沿って接着された熱収縮フィルム２０の筒内に挿入されるチューブ容器１は、図３に示す如く、台紙１１の表面に沿う胴部２の長手方向に沿う形状が凸状湾曲面をなすものとしている。
【００１９】
(3)熱収縮フィルム２０に熱風を当てる等により加熱し、収縮させて、チューブ容器１を台紙１１上に保持する（図１（Ｃ））。これにより、台紙付きシュリンク包装体１０が製造される。
【００２０】
しかるに、本発明の一実施例に係る台紙付きシュリンク包装体１０にあっては、下記(a)〜(e)の構成を具備する。
【００２１】
(a)台紙１１の表面に対する熱収縮フィルム２０の接着範囲Ｋの下端部が、図２、図３に示す如く、熱収縮フィルム２０の筒内に挿入されたチューブ容器１の肩部３から離れた胴部２の側に設定される。図４、図５は、本発明の比較例に係る台紙付きシュリンク包装体１００であって、台紙１１の表面に対する熱収縮フィルム２０の接着範囲Ｋの下端部が、熱収縮フィルム２０の筒内に挿入されたチューブ容器１の肩部３に相対するものとされている。
【００２２】
台紙付きシュリンク包装体１０、１００にあっては、台紙１１の下端部とチューブ容器１のキャップ５の先端面とが載置面方向に間隔Ｘをなす（図２〜図５）。また、台紙付きシュリンク包装体１０、１００にあっては、台紙１１の下端部とチューブ容器１のキャップ５の先端面とが、製造過程で、台紙１１の上下方向に長さＹだけずれることがある（図２、図４）。台紙１１の下端部とチューブ容器１のキャップ５の先端面とが、台紙１１の上下方向に長さＹだけずれる原因には、台紙１１の表面へ筒状の熱収縮フィルム２０を接着する際の熱収縮フィルム２０の位置ずれ（図１参照）及び、台紙１１に接着された熱収縮フィルム２０の筒内にチューブ容器１が挿入される際のチューブ容器１の位置ずれがある。尚、図１は熱収縮フィルム２０の下端部が台紙１１の下端部に対して上方向に位置ずれを生じている様子を表しているが、設計上は熱収縮フィルム２０と台紙１１との下端部同士が一致している。
【００２３】
本実施例にあっては、熱収縮フィルム２０が加熱により収縮してチューブ容器１に被着されるときに、熱収縮フィルム２０は台紙１１への接着範囲Ｋに対してチューブ容器１を引き寄せるものになる。このとき、台紙１１の表面に対する熱収縮フィルム２０の接着範囲Ｋの下端部が、熱収縮フィルム２０の筒内に挿入されたチューブ容器１の肩部３から離れた胴部２の側に設定されている。従って、チューブ容器１の肩部３の側は台紙１１に対して引き寄せられることがなく、台紙１１の下端部とチューブ容器１のキャップ５との載置面方向の間隔Ｘは広がり、図３に示す如く、包装体１０は陳列台３０の載置面３１の上に安定して自立できる。
【００２４】
(b)台紙１１の表面に対する熱収縮フィルム２０の接着範囲Ｋが、図２、図３に示す如く、熱収縮フィルム２０の筒内に挿入されたチューブ容器１の胴部２の中間部（チューブ容器１の胴部２の長手方向で、肩部３と封緘部２Ａのそれぞれから離れた中間部）に相対する範囲に設定される。
【００２５】
従って、チューブ容器１の肩部３だけでなく、肩部３から熱収縮フィルム２０の接着範囲Ｋに相対する胴部２の中間部までの長い範囲Ｒが台紙１１に対して引き寄せられることがなく、台紙１１の下端部とチューブ容器１のキャップ５との間隔Ｘは確実に広がり、包装体１０は陳列台３０の載置面３１の上に確実に安定して自立できる。
【００２６】
(c)台紙１１の表面に対する熱収縮フィルム２０の接着範囲Ｋの下端部が、熱収縮フィルム２０の筒内に挿入されたチューブ容器１の胴部２の全長Ｌの1／5Ｌ〜3／5Ｌだけ肩部３から離れる（図３のＲ）。
【００２７】
従って、チューブ容器１の肩部３だけでなく、肩部３から熱収縮フィルム２０の接着範囲Ｋの下端部までの長い範囲Ｒ（肩部３から胴部２の全長Ｌの1／5Ｌ〜3／5Ｌの範囲）が台紙１１に対して引き寄せられることがなく、台紙１１の下端部とチューブ容器１のキャップ5との間隔Ｘは確実に広がり、包装体１０は陳列台３０の載置面３１の上に確実に安定して自立できる。
【００２８】
(d)上述(c)において、台紙１１の表面に対する熱収縮フィルム２０の接着範囲Ｋの上端部が、熱収縮フィルム２０の筒内に挿入されたチューブ容器１の胴部２の全長Ｌの7／10Ｌ〜9／10Ｌだけ肩部３から離れた位置に設定される（図３のＲ＋Ｋ）。
【００２９】
従って、熱収縮フィルム２０は台紙１１への接着範囲Ｋたる、上述の下端部〜上端部の範囲Ｋで、チューブ容器１を確実に引き寄せ、保持する。
【００３０】
(e)チューブ容器１の胴部２の長手方向に沿う形状が前述の如くの凸状湾曲面をなす（図３）。
従って、熱収縮フィルム２０が台紙１１への接着範囲Ｋに対してチューブ容器１を引き寄せるとき、熱収縮フィルム２０により引き寄せられていないチューブ容器１の上述(a)〜(d)の胴部２の凸状湾曲面は、肩部２に近づくにつれて台紙１１からより離隔するものになる。これにより、台紙１１の下端部とチューブ容器１のキャップ５との間隔Ｘは確実に広がり、包装体１０は陳列台３０の載置面３１の上に確実に安定して自立できる。
【００３１】
以下、本発明の具体的実施結果について説明する。
使用したチューブ容器はアルミ箔層を有する６層のプラスチックチューブ容器であり、厚みが450μm、肩部の外径が25mm、肩部から胴部の全長Ｌは96mmである。また使用した台紙は、坪量400ｇ／cm2、幅85mm×高さ180mmのカード紙である。また使用した熱収縮フィルムは、１軸延伸のポリスチレンフィルム（厚み40μm、幅43mm×高さ126mm）を主体とした積層フィルムである。
【００３２】
本発明の一実施例の包装体１０として、台紙１１の表面に対する熱収縮フィルム２０の接着範囲Ｋの下端部が、熱収縮フィルム２０の筒内に挿入されたチューブ容器１の肩部３から長手方向に23mm離れた位置（図３のＲ）に設定され、熱収縮フィルム２０の接着範囲Ｋの長さを62mm、幅を10mmとした。包装体１０は、台紙１１の下端部とチューブ容器１のキャップ５の先端面とのずれＹが0mmのとき、それらのチューブ容器１と台紙１１が載置される陳列台３０の載置面３１を水平から8度傾けるまで転倒せず、ずれＹが2.5mmのとき、陳列台３０の載置面３１を水平から2.7度傾けるまで転倒しないことを認めた。
【００３３】
これに対し、比較例の包装体１００では、台紙１１の表面に対する熱収縮フィルム２０の接着範囲Ｋの下端部を熱収縮フィルム２０の筒内に挿入されたチューブ容器１の肩部３に相対する位置に設定し、熱収縮フィルム２０の接着範囲Ｋの長さを85mm、幅を10mmとした。包装体１００は、台紙１１の下端部とチューブ容器１のキャップ５の先端面とのずれＹが0mmのとき、それらのチューブ容器１と台紙１１が載置される陳列台３０の載置面３１を水平から7.5度傾けたときに転倒し、ずれＹが2.5mmのとき、陳列台３０の載置面３１を水平から1.5度傾けたときに転倒することを認めた。
【産業上の利用可能性】
【００３４】
本発明によれば、転倒しにくい、自立可能なチューブ容器の台紙付きシュリンク包装体を提供できる。
【符号の説明】
【００３５】
１  チューブ容器
２  胴部
２Ａ  封緘部
３  肩部
４  口頚部
５  キャップ
１０  台紙付きシュリンク包装体
１１  台紙
１２  糊
２０  熱収縮フィルム
Ｋ  接着範囲
Ｌ  全長
【図１】
2013124109.tif 000003
【図２】
2013124109.tif 000004
【図３】
2013124109.tif 000005
【図４】
2013124109.tif 000006
【図５】
2013124109.tif 000007